【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
信号処理方法であって、
受信符号を基準符号と相関させることに基づいて相関器から複数の結果を得ることであって、各結果は、複数の符号位相推定のうちの１つ及び複数の周波数推定のうちの１つに対応することと、
前記複数の周波数推定の各々に関して、前記周波数推定に関する結果の中から複数のピークを選択することと、
周波数推定を選択的に拒否することであって、前記拒否することは、前記複数のピークにおけるピークのエネルギー値間の関係に基づくことと、
を具備する信号処理方法。
【請求項２】
複数のピークを前記選択することは、前記ピークのエネルギー値に従って複数のピーク
を選択することを含む請求項１に記載の信号処理方法。
【請求項３】
前記拒否することは、（Ａ）ノイズフロア（noise floor）と（Ｂ）前記複数のピークにおけるピークのエネルギー値との間の関係に基づく請求項１に記載の信号処理方法。
【請求項４】
前記拒否することは、（Ａ）ノイズフロアと（Ｂ）前記複数のピークにおける最大のエネルギー値をもつピークのエネルギー値の間の関係に基づく請求項１に記載の信号処理方法。
【請求項５】
前記拒否することは、前記複数のピークにおけるピークのエネルギー値が前記複数のピークにおける他のピークのエネルギー値のしきい値内にあるという決定に基づく請求項１に記載の信号処理方法。
【請求項６】
前記拒否することは、前記複数のピークにおける２つのピークのエネルギー値間の差がしきい値よりも大きくないという決定に基づき、前記２つのピークのうちの１つは、前記複数のピークにおいて最大のエネルギー値を有する前記ピークである請求項１に記載の信号処理方法。
【請求項７】
前記拒否することは、（Ａ）前記複数のピークにおけるピークのエネルギー値と、（Ｂ）雑音値と、の比に基づき、前記雑音値は、前記対応する複数のピークを除く、前記周波数推定に関する前記複数の結果の中の値に基づく請求項１に記載の信号処理方法。
【請求項８】
前記拒否することは、
前記周波数推定に関する前記結果の合計を計算することと、
前記周波数推定に関する雑音値を計算することであって、複数のエネルギー値を前記合計から減じることを含むことと、
前記減じられたエネルギー値の数をしきい値と比較すること、とを含む請求項１に記載の信号処理方法。
【請求項９】
前記複数のピークのうちの１つにおいてピークを選択することと、
前記選択されたピークに対応する符号位相推定に基づいて疑似距離を計算すること、と
を具備する請求項１に記載の信号処理方法。
【請求項１０】
前記疑似距離に基づく情報を無線通信ネットワークに送信することを具備する請求項９に記載の信号処理方法。
【請求項１１】
前記複数のピークのうちの１つから最良の最大ピークを選択することと、
前記最良の最大ピークよりも早い符号推定に対応するピークを前記複数のピークから選択することと、
前記より早い符号推定に基づいて疑似距離を計算すること、とを具備する請求項１に記載の信号処理方法。
【請求項１２】
前記受信符号は、全地球測位システムの宇宙ビークルから受信された信号から得られる請求項１に記載の信号処理方法。
【請求項１３】
前記複数のピークの１つにおけるピークを拒否することであって、前記拒否することは、前記全地球測位システムの他の宇宙ビークルから受信された信号の周波数における位置に基づくことを具備する請求項１２に記載の信号処理方法。
【請求項１４】
機械読み取り可能な命令を有する機械読み取り可能な媒体であって、前記命令は処理ユニットによって実行されたときに動作を実行するものであり、前記命令は、
受信符号を基準符号と相関させることに基づいて相関器から複数の結果を得るための命令であって、各結果は、複数の符号位相推定のうちの１つ及び複数の周波数推定のうちの１つに対応する命令と、
前記複数の周波数推定の各々に関して、前記周波数推定に関する結果の中から複数のピークを選択するための命令と、
周波数推定を拒否するための命令であって、前記拒否することは、前記複数のピークにおけるピークのエネルギー値間の関係に基づく命令と、
を具備する機械読み取り可能な媒体。
【請求項１５】
信号処理装置であって、
受信符号を基準符号と相関させることに基づいて複数の結果を得るように構成される第１の論理素子アレイであって、各結果は、複数の符号位相推定のうちの１つ及び複数の周波数推定のうちの１つに対応する第１の論理素子アレイと、
前記複数の周波数推定の各々に関して、前記周波数推定に関する前記結果の中から複数のピークを選択するように構成された第２の論理素子アレイと、
周波数推定に関して、前記対応する複数のピークにおけるピークのエネルギー値間の関係を決定し、該決定された関係に基づいて前記周波数推定を選択的に拒否するように構成された第３の論理素子アレイと、
を具備する信号処理装置。
【請求項１６】
前記第１のアレイは、相関器を含む請求項１５に記載の信号処理装置。
【請求項１７】
前記第１のアレイを含む探索器を具備し、前記探索器は、複数の相関器を具備する請求項１６に記載の信号処理装置。
【請求項１８】
前記第１のアレイを含む探索手段を具備する請求項１５に記載の信号処理装置。
【請求項１９】
前記第１のアレイの少なくとも一部分及び前記第２のアレイの少なくとも一部分は、同じデバイス上にある請求項１５に記載の信号処理装置。
【請求項２０】
前記複数のピークのうちの１つにおけるピークに対応する符号位相推定に基づく情報を無線通信チャネルを通じて送信するように構成される請求項１５に記載の信号処理装置。
【請求項２１】
前記第３のアレイは、前記複数のピークのうちの１つにおけるピークを選択するように及び前記選択されたピークに対応する符号位相推定に基づいて疑似距離を計算するように構成される請求項１５に記載の信号処理装置。
【請求項２２】
前記周波数推定のうちの少なくとも１つに関して、（Ａ）ノイズフロアと（Ｂ）前記複数のピークにおけるピークのエネルギー値の間の関係を決定するように及び前記決定された関係に基づいて前記周波数推定を拒否するように構成される第４の論理素子アレイを具備する請求項１５に記載の信号処理装置。
【請求項２３】
信号処理装置であって、
受信符号を基準符号と相関させることに基づいて複数の結果を得るように構成される第１の論理素子アレイであって、各結果は、複数の符号位相推定のうちの１つ及び複数の周波数推定のうちの１つに対応する第１の論理素子アレイと、
前記複数の周波数推定の各々に関して、前記周波数推定に関する前記結果の中から複数のピークを選択するように構成された第２の論理素子アレイと、
を具備し、
前記第２の論理素子アレイは、前記複数の周波数推定の各々に関して、雑音値を計算するように構成され、
前記前記雑音値の各々は、前記対応する複数のピークを除く、前記周波数推定に関する前記複数の結果の中の値に基づく信号処理装置。
【請求項２４】
信号処理装置であって、
受信符号を基準符号と相関させて複数の結果を得るための手段であって、各結果は、複数の符号位相推定のうちの１つ及び複数の周波数推定のうちの１つに対応する手段と、
前記複数の周波数推定の各々に関して、前記周波数推定に関する前記結果から得られた複数のピークを選択する手段と、
前記周波数推定の少なくとも１つに関して、前記対応する複数のピークにおけるピークのエネルギー値間の関係を決定し、該決定された関係に基づいて前記周波数推定を選択的に拒否するための手段と、
を具備する信号処理装置。
【請求項２５】
前記複数のピークのうちの１つにおけるピークに対応する符号位相推定に基づく情報を無線通信チャネルを通じて送信するように構成される請求項２４に記載の信号処理装置。
【請求項２６】
前記決定するための手段は、前記複数のピークのうちの１つを選択し、該選択されたピークに対応する符号位相推定に基づいて疑似距離を計算するように構成される請求項２４に記載の信号処理装置。
【請求項２７】
前記周波数推定のうちの少なくとも１つに関して、（Ａ）ノイズフロアと（Ｂ）前記複数のピークにおけるピークの値のエネルギー値との間の関係を決定するとともに前記決定された関係に基づいて前記周波数推定を拒否するための手段をさらに具備する請求項２４に記載の信号処理装置。
【請求項２８】
信号処理装置であって、
受信符号を基準符号と相関させて複数の結果を得るための手段であって、各結果は、複数の符号位相推定のうちの１つ及び複数の周波数推定のうちの１つに対応する手段と、
前記複数の周波数推定の各々に関して、前記周波数推定に関する前記結果から取得された複数のピークを選択し、前記複数の周波数推定の各々に関して、雑音値を計算するための手段と、を具備し、
前記雑音値の各々は、前記対応する複数のピークを除く、前記周波数推定に関する前記複数の結果の中の値に基づく信号処理装置。